(57)【要約】【課題】浴室では出湯温度の設定や照明の明るさなど、音響装置に関する設定のほかに自分好みの設定をする必要がある項目が多数あり、これら各種設定が変更されていた場合、それぞれの設定項目について自分好みの設定に戻す必要があるが、これらをそれぞれ個別に設定しなおすことは非常に煩雑である。【解決手段】複数の電気装置の設定状態を記憶する記憶手段を備え、その記憶手段に記憶されている設定状態を呼び出すと、複数の電気装置の設定状態を、記憶されている設定状態に変更する。【選択図】  図１
2019087885.tif 000002
【特許請求の範囲】
【請求項１】
浴室内に設けられた電気装置の設定状態を浴室内から自由に変更することのできる浴室用コントロール装置において、複数の電気装置の設定状態を記憶する記憶手段を備え、その記憶手段に記憶されている設定状態を呼び出すと、複数の電気装置の設定状態を、記憶されている設定状態に変更することを特徴とする浴室用コントロール装置。
【請求項２】
上記記憶手段は、上記複数の電気装置の設定状態のパターンを複数パターン記憶することができ、それら複数のパターンのうち任意のパターンを自在に呼び出すことができることを特徴とする請求項１に記載の浴室用コントロール装置。
【請求項３】
上記複数の電気装置の設定状態を記憶するための記憶ボタンを備え、その記憶ボタンが操作されると、その操作時における設定状態を記憶手段に記憶することを特徴とする請求項１または請求項２に記載の浴室用コントロール装置。
【請求項４】
上記記憶ボタンを指紋センサ等の生体認証センサで構成したことを特徴とする請求項３に記載の浴室用コントロール装置。
【発明の詳細な説明】
【技術分野】
【０００１】
本発明は、浴室に設けられた照明装置や音響装置といった電気装置の設定状態をコントロールすることのできる浴室用コントロール装置に関する。
【背景技術】
【０００２】
例えば浴室内で音楽などを聴くために、電気装置の一種である音響装置からの音楽信号を再生するためのスピーカが浴室に設けられてる場合がある。ただし浴室内は反響や共振などの音響効果が特殊なため、低音や高音を増強するためのスイッチが設けられ、それらのスイッチを操作することによって、あらかじめ設定されている特定の周波数の音響成分をカットしたり、あるいは逆にブーストしたりする装置が知られている（例えば、特許文献１参照）。
【先行技術文献】
【特許文献】
【０００３】
【特許文献１】特開平６−６１７６８号公報（請求項１）
【発明の概要】
【発明が解決しようとする課題】
【０００４】
音響装置に関しては、上記の音響成分のカットやブーストについて、他の人間が設定を変更していた場合、その都度自分の好みに合うように設定を戻す必要がある。また音響装置に関しては、このような音響成分のほかに、音量を自分の好みに設定する必要があるが、この音量についても他の人間が設定を変更していると、上記音響成分の設定と共に音量の設定も変更しなければならない。
【０００５】
さらに、浴室では出湯温度の設定や照明の明るさなど、音響装置に関する設定のほかに自分好みの設定をする必要がある項目が多数あり、これら各種設定が変更されていた場合、それぞれの設定項目について自分好みの設定に戻す必要があるが、これらをそれぞれ個別に設定しなおすことは非常に煩雑である。
【０００６】
そこで本発明は、上記の問題点に鑑み、上記各種の設定項目を再設定する場合、その再設定操作が煩雑ではない浴室用コントロール装置を提供することを課題とする。
【課題を解決するための手段】
【０００７】
上記課題を解決するために本発明による浴室用コントロール装置は、浴室内に設けられた電気装置の設定状態を浴室内から自由に変更することのできる浴室用コントロール装置において、複数の電気装置の設定状態を記憶する記憶手段を備え、その記憶手段に記憶されている設定状態を呼び出すと、複数の電気装置の設定状態を、記憶されている設定状態に変更することを特徴とする。
【０００８】
複数の電気装置についての好みの設定状態を記憶しておけば、その記憶されている設定状態を呼び出して、記憶されている設定状態になるように各種電気装置の設定状態を変更することにより、一つの操作で複数の電気装置の作動状態を好みの設定状態に変更することができる。
【０００９】
なお、上記記憶手段は、上記複数の電気装置の設定状態のパターンを複数パターン記憶することができ、それら複数のパターンのうち任意のパターンを自在に呼び出すことができるように構成することが望ましい。
【００１０】
また、具体的には、上記複数の電気装置の設定状態を記憶するための記憶ボタンを備え、その記憶ボタンが操作されると、その操作時における設定状態を記憶手段に記憶することが考えられる。
【００１１】
そして、その記憶ボタンは、例えば上記記憶ボタンを指紋センサ等の生体認証センサで構成すればよい。
【発明の効果】
【００１２】
以上の説明から明らかなように、本発明は、電気装置が複数存在していても、それら複数の電気装置についての好みの設定状態をひとつのパターンとして記録しておき、その記憶された設定状態を呼び出して各電気装置の作動状態を記憶されている好みの作動状態に一括で変更することにより、一つの操作で複数の電気装置の作動状態を好みの作動状態に変更することができる。
【図面の簡単な説明】
【００１３】
【図１】本発明の一実施の形態の構成を示す図
【図２】操作部の一例を示す図
【発明を実施するための形態】
【００１４】
図１を参照して、１は本発明が適用される浴室の一例である。この浴室１には各種の照明器具２１が取り付けられており、これらすべての照明器具２１は照明制御装置２に接続されている。この照明制御装置２は、すべての照明器具２１の明るさや発光色などを制御することができる。そして、これら明るさや発光色は図示しない操作端末によって入浴者が自由に設定することができる。
【００１５】
また、３１はテレビ画像を表示するためのモニタであり、チューナ３に接続されている。モニタ３１に設けられている操作ボタンを操作することによってチューナ３はモニタ３１に表示されるテレビ画面のチャンネルを変更し、あるいはモニタ３１から発音されてるテレビ音量を増減する。
【００１６】
４１は音響用スピーカであり、音響装置４に接続されている。音響装置４には図示しない操作部が接続されており、その操作部を操作することによってスピーカ４１から発音される音量や音質などを変更することができる。
【００１７】
５１は風呂用リモコンであり、室外の給湯装置５に接続されており、この風呂用リモコン５１を操作することによってシャワーなどの給湯温度が設定される。
【００１８】
そして、これら電気装置である照明制御装置２、チューナ３、音響装置４、給湯装置５はすべて本発明によるコントロール装置６に接続されている。このコントロール装置６は上記の各電気装置２，３，４，５の各設定状態を読み込んで、内蔵するメモリに格納し、あるいはそのメモリに格納されている設定状態を各電気装置２，３，４，５に送信して各電気装置２，３，４，５の設定状態をメモリに格納されている設定状態に書き換えることができる。このコントロール装置６には操作部７が接続されており、コントロール装置６内のメモリに記憶されている設定状態を、書き換え、あるいは呼び出して各電気装置２，３，４，５の設定状態を変更させることができる。
【００１９】
図２を参照して、この操作部７には上記コントロール装置６に内蔵されているメモリの番号を表示する表示部７１が設けられており、選択ボタン７２，７３を操作することによって、希望するメモリの番号を表示部７１に表示させることができる。例えば、表示部７１に「１」が表示されている状態で、記憶ボタン７４を押し操作すると、その時点での上記各電気装置２，３，４，５の設定状態が番号１のメモリに書き込まれる。同様に、表示部７１に「２」が表示されている状態で記憶ボタン７４を押し操作すると、その時点での各電気装置２，３，４，５の設定状態が番号２のメモリに書き込まれる。
【００２０】
次に、例えば表示部７１に「１」が表示されている状態で呼出ボタン７５を押し操作すると、番号１のメモリに記憶されている各電気装置２，３，４，５の設定状態が呼び出され、その呼び出された設定状態は各電気装置２，３，４，５に送信され、各電気装置２，３，４，５の設定状態が番号１のメモリに記録されている設定状態に書き換えられる。
【００２１】
なお、上記の実施の形態では、メモリ番号を変更し選択するのに操作ボタン７２，７３を用いたが、指紋認証などの生体認証センサを操作部７に設け、認証した指紋に関連付けられている番号のメモリを呼び出すようにしてもよく、あるいは音声認識機能を付加し、操作部７から離れた位置から音声によってメモリ番号の呼び出しや設定状態の記憶、あるいは設定状態の呼び出しを行うようにしてもよい。
【００２２】
なお、本発明は上記した形態に限定されるものではなく、本発明の要旨を逸脱しない範囲内において種々の変更を加えてもかまわない。
【符号の説明】
【００２３】
１ 浴室
２ 照明制御装置
３ チューナ
４ 音響装置
５ 給湯装置
６ コントロール装置
７ 操作部
【図１】
2019087885.tif 000003
【図２】
2019087885.tif 000004